(57)【特許請求の範囲】
【請求項１】
鍵山部と頭部とを有する鍵を収容するためのキーケースであって、
板状の本体部と、
前記本体部に取り付けられ、前記本体部に対して移動可能であり、前記鍵の前記頭部を挿入して固定するための挿入部と、
前記鍵の前記鍵山部を収容可能な形状で前記本体部に形成される収容部と、
前記鍵の前記鍵山部を前記収容部に収容した状態で前記挿入部の移動を係止する収容係止機構を備え、
前記収容係止機構は、
前記挿入部に接触させるための凸部と、
前記凸部が設けられる一端部と前記本体部の側端面に固定される他端部とを有する弾性板材とを有すること
を特徴とするキーケース。
【請求項２】
前記挿入部は、前記本体部の端部に取り付けられて、前記本体部の面外方向に向けて回転移動可能であること
を特徴とする請求項１記載のキーケース。
【請求項３】
前記挿入部は、前記凸部に嵌合される凹部を有すること
を特徴とする請求項１又は２記載のキーケース。
【請求項４】
前記弾性板材は、前記凸部側に向けて折り曲げられた折り曲げ部が前記一端部側に形成されること
を特徴とする請求項１〜３の何れか１項記載のキーケース。
【請求項５】
前記弾性板材は、前記本体部の側端面に形成される側端溝部の内部に配置されること
を特徴とする請求項１〜４の何れか１項記載のキーケース。
【請求項６】
前記鍵の前記鍵山部を前記収容部から取り出した状態で前記挿入部の移動を制御する制御機構を更に備えること
を特徴とする請求項１〜５の何れか１項記載のキーケース。
【請求項７】
前記本体部は、他の前記キーケースにおける前記本体部と連結するための連結機構を有すること
を特徴とする請求項１〜６の何れか１項記載のキーケース。
【請求項８】
板材が折り返されて形成される折り返し部と、前記折り返し部から両端部側に向けてそれぞれ延びる一対の挟持板部とを有する折り返し板材を更に備え、
前記折り返し板材は、前記折り返し部から前記挿入部に挿入されて、一対の前記挟持板部が前記鍵の頭部を挟んで固定するためのものであること
を特徴とする請求項１〜７の何れか１項記載のキーケース。
【請求項９】
前記折り返し板材は、内面側に向けて屈曲させた第１屈曲部が前記挟持板部に形成されること
を特徴とする請求項８記載のキーケース。
【請求項１０】
前記折り返し板材は、前記第１屈曲部よりも端部側を内面側に向けて屈曲させた第２屈曲部が前記挟持板部に形成され、前記第２屈曲部が前記鍵の頭部に当接されること
を特徴とする請求項９記載のキーケース。
【請求項１１】
前記折り返し板材は、前記挿入部の外側に配置される突出部を有すること
を特徴とする請求項８〜１０の何れか１項記載のキーケース。
【請求項１２】
前記折り返し板材は、前記突出部に孔が形成されること
を特徴とする請求項１１記載のキーケース。
【発明の詳細な説明】
【技術分野】
【０００１】
本発明は、鍵を収容するためのキーケースに関する。
【背景技術】
【０００２】
従来、収納携帯に便利で取り出しが容易とすることを目的として、特許文献１に開示されたカード状の回転収納式スペアキーが提案されている。
【０００３】
特許文献１に開示されたカード状の回転収納式スペアキーは、キーの握持部の両側辺の頂辺近傍にピンを取り付けて回転軸と為し、キーの形状に合わせてカードの外周部の１辺から中央に向けて完全に切欠し、切欠部の両側辺の切欠口近傍に形成される点状の凹部にピンを嵌合させカードに対してキーを回動自在と為したことを特徴とする。
【先行技術文献】
【特許文献】
【０００４】
【特許文献１】実開昭６３−１６９６６８号公報
【発明の概要】
【発明が解決しようとする課題】
【０００５】
しかしながら、特許文献１に開示されたカード状の回転収納式スペアキーは、カードに対してキーを回動自在とされているものの、特段カードに対してキーの回転が係止されていないため、持ち運びの際にユーザの意思に反して収納されたキーがカードから脱離する方向に回転してしまい、その結果、携帯に不便であるという問題点があった。
【０００６】
また、特許文献１に開示されたカード状の回転収納式スペアキーは、キーの握持部の両側辺の頂辺近傍にピンを取り付ける必要がある。このため、特許文献１に開示されたカード状の回転収納式スペアキーは、鍵自体にピンを取り付ける加工を行わなければ使用することができず、汎用性が低いという問題点があった。
【０００７】
そこで、本発明は、上述した問題点に鑑みて案出されたものであり、その目的とするところは、携帯の利便性を向上させることが可能となり、汎用性の高いキーケースを提供することにある。
【課題を解決するための手段】
【０００８】
第１発明に係るキーケースは、鍵山部と頭部とを有する鍵を収容するためのキーケースであって、板状の本体部と、前記本体部に取り付けられ、前記本体部に対して移動可能であり、前記鍵の前記頭部を挿入して固定するための挿入部と、前記鍵の前記鍵山部を収容可能な形状で前記本体部に形成される収容部と、前記鍵の前記鍵山部を前記収容部に収容した状態で前記挿入部の移動を係止する収容係止機構を備え、前記収容係止機構は、前記挿入部に接触させるための凸部と、前記凸部が設けられる一端部と前記本体部の側端面に固定される他端部とを有する弾性板材とを有することを特徴とする。
【０００９】
第２発明に係るキーケースは、第１発明において、前記挿入部は、前記本体部の端部に取り付けられて、前記本体部の面外方向に向けて回転移動可能であることを特徴とする。
【００１１】
第３発明に係るキーケースは、第１発明又は第２発明において、前記挿入部は、前記凸部に嵌合される凹部を有することを特徴とする。
【００１２】
第４発明に係るキーケースは、第１発明〜第３発明の何れかにおいて、前記弾性板材は、前記凸部側に向けて折り曲げられた折り曲げ部が前記一端部側に形成されることを特徴とする。
【００１３】
第５発明に係るキーケースは、第１発明〜第４発明の何れかにおいて、前記弾性板材は、前記本体部の側端面に形成される側端溝部の内部に配置されることを特徴とする。
【００１４】
第６発明に係るキーケースは、第１発明〜第５発明の何れかにおいて、前記鍵の鍵山部を前記収容部から取り出した状態で前記挿入部の移動を制御する制御機構を更に備えることを特徴とする。
【００１５】
第７発明に係るキーケースは、第１発明〜第６発明の何れかにおいて、前記本体部は、他の前記キーケースにおける前記本体部と連結するための連結機構を有することを特徴とする。
【００１６】
第８発明に係るキーケースは、第１発明〜第７発明の何れかにおいて、板材が折り返されて形成される折り返し部と、前記折り返し部から両端部側に向けてそれぞれ延びる一対の挟持板部とを有する折り返し板材を更に備え、前記折り返し板材は、前記折り返し部から前記挿入部に挿入されて、一対の前記挟持板部が前記鍵の前記頭部を挟んで固定するためのものであることを特徴とする。
【００１７】
第９発明に係るキーケースは、第８発明において、前記折り返し板材は、内面側に向けて屈曲させた第１屈曲部が前記挟持板部に形成されることを特徴とする。
【００１８】
第１０発明に係るキーケースは、第９発明において、前記折り返し板材は、前記第１屈曲部よりも端部側を内面側に向けて屈曲させた第２屈曲部が前記挟持板部に形成され、前記第２屈曲部が前記鍵の前記頭部に当接されることを特徴とする。
【００１９】
第１１発明に係るキーケースは、第８発明〜第１０発明の何れかにおいて、前記折り返し板材は、前記挿入部の外側に配置される突出部を有することを特徴とする。
【００２０】
第１２発明に係るキーケースは、第１１発明において、前記折り返し板材は、前記突出部に孔が形成されることを特徴とする。
【発明の効果】
【００２１】
本発明によれば、鍵の鍵山部を収容部に収容した状態で挿入部の移動を係止する収容係止機構を備える。これにより、本発明によれば、ユーザの意思に反して鍵が収容部から脱離することなく、鍵の鍵山部を収容部に収容した状態を維持することが可能となり、その結果、携帯の利便性を向上させることが可能となる。
【００２２】
また、本発明によれば、特段鍵自体に加工を行う必要が無く、挿入部に鍵の頭部を挿入して固定すればよいため、汎用性を高くすることが可能となる。
【図面の簡単な説明】
【００２３】
【図１】図１は、本発明を適用したキーケースを示す斜視図である。
【図２】図２（ａ）は、本発明を適用したキーケースを本体部の厚み方向から見た図であり、図２（ｂ）は、本発明を適用したキーケースを本体部の短手方向から見た図である。
【図３】図３（ａ）は、図２（ａ）の２Ａ−２Ａ断面図であり主に挿入部を拡大した図であり、図３（ｂ）は、図３（ａ）の３Ａ−３Ａ断面図である。
【図４】図４は、図２（ａ）の２Ｂ−２Ｂ断面図である。
【図５】図５（ａ）は、本発明を適用したキーケースにおける挿入部の移動を収容係止機構５により係止する前の状態を示す図であり、図５（ｂ）は、挿入部の移動を収容係止機構５により係止した状態を示す図である。
【図６】図６（ａ）は、折り返し板材の折り返し部の延伸方向から見た図であり、図６（ｂ）は、図６（ａ）の図中矢印６Ａ方向から見た図である。
【図７】図７（ａ）は、折り返し板材を挿入部に挿入する前の図であり、図７（ｂ）は、折り返し板材を挿入部に挿入した後の図である。
【図８】図８（ａ）は、制御機構を本体部の厚み方向に直交する面で切った断面図であり、図８（ｂ）は、図８（ａ）を本体部の短手方向から見た図である。
【図９】図９（ａ）は、制御機構により挿入部の移動を係止した状態を本体部２の厚み方向に直交する面で切った断面図であり、図９（ｂ）は、図９（ａ）を本体部の短手方向から見た図である。
【図１０】図１０（ａ）〜図１０（ｂ）は、挿入部の第１変形例〜第２変形例を鍵の鍵幅方向に直交する面で切った断面図である。
【図１１】図１１（ａ）〜図１１（ｄ）は、挿入部の第３変形例〜第６変形例を鍵の鍵幅方向に直交する面で切った断面図である。
【図１２】図１２（ａ）〜図１２（ｃ）は、挿入部の第７変形例〜第９変形例を鍵の鍵幅方向に直交する面で切った断面図である。
【図１３】図１３（ａ）〜図１３（ｃ）は、挿入部の第１０変形例〜第１２変形例を鍵の厚み方向に直交する面で切った断面図であり、図１３（ｄ）は、挿入部の第１３変形例を鍵の厚み方向から見た図である。
【図１４】図１４は、収容部の第１変形例を示す図であり、図１４（ａ）は、本体部の厚み方向から見た図であり、図１４（ｂ）は、図１４（ａ）の１４Ａ−１４Ａ断面図である。
【図１５】図１５は、収容部の第２変形例を鍵の長手方向に直交する面で切った断面図である。
【図１６】図１６は、収容係止機構の第１変形例を示す図であり、図１６（ａ）は、鍵の厚み方向から見た図であり、図１６（ｂ）は、図１６（ａ）の１６Ａ−１６Ａ断面図である。
【図１７】図１７は、制御機構の第１変形例を本体部の短手方向に直交する面で切った断面図である。
【図１８】図１８（ａ）は、制御機構の第２変形例を本体部の厚み方向に直交する面で切った断面図であり、図１８（ｂ）は、図１８（ａ）を本体部の短手方向から見た図である。
【図１９】図１９（ａ）〜図１９（ｇ）は、折り返し板材の第１変形例〜第７変形例を鍵の鍵幅方向に直交する面で切った断面図である。
【図２０】図２０（ａ）〜図２０（ｃ）は、折り返し板材の第８変形例〜第１０変形例を鍵の長手方向に直交する面で切った断面図である。
【図２１】図２１（ａ）は、折り返し板材の第１１変形例を折り返し部の延伸方向に直交する方向から見た図であり、図２１（ｂ）は、図２１（ａ）に示す折り返し板材を鍵の鍵幅方向に直交する面で切った断面図である。
【図２２】図２２（ａ）は、本体部の第１変形例を示す本体部の厚み方向から見た図であり、図２２（ｂ）は、２つの本体部を連結機構により連結した状態を本体部の長手方向に直交する面で切った断面図である。
【図２３】図２３（ａ）は、本体部の第２変形例を本体部の長手方向に直交する面で切った断面図であり、図２３（ｂ）は、２つの本体部を連結機構により連結した状態を本体部の長手方向に直交する面で切った断面図である。
【図２４】図２４（ａ）〜図２４（ｂ）は、挿入部の第１４変形例〜第１５変形例を本体部の厚み方向から見た図である。
【図２５】図２５は、挿入部の第１６変形例を示す図である。
【図２６】図２６は、収容部の第３変形例を示す図であり、図２６（ａ）は、本体部の厚み方向から見た図であり、図２６（ｂ）は、図２６（ａ）の２６Ａ−２６Ａ断面図である。
【図２７】図２７は、収容係止機構の第２変形例を示す図である。
【図２８】図２８（ａ）は、挿入部の第１７例を示す図であり、図２８（ａ）は、この挿入部の移動を収容係止機構により係止する前の状態を示す図であり、図２８（ｂ）は、この挿入部の移動を収容係止機構により係止した状態を示す図である。
【発明を実施するための形態】
【００２４】
以下、本発明を適用したキーケースを実施するための形態について、図面を参照しながら詳細に説明する。
【００２５】
図１は、本発明を適用したキーケース１を示す斜視図である。図２（ａ）は、本発明を適用したキーケース１を本体部２の厚み方向から見た図であり、図２（ｂ）は、本発明を適用したキーケース１を本体部２の短手方向から見た図である。
【００２６】
キーケース１は、鍵９を収容するために用いられる。鍵９は、平板状の金属等で構成され、鍵山部９１と、頭部９２を有する。鍵９は、鍵山部９１には錠を開けるために所定の形状の鍵山が形成され、頭部９２には貫通孔９３が形成される。また、鍵９の頭部９２の両面には、ユーザが頭部９２を握持した際の滑り止めとなる溝９４が鍵９の長手方向に沿って形成される。キーケース１は、２つの鍵９を収容可能な態様について説明するが、１以上の如何なる数量の鍵を収容可能としてもよい。ここで、鍵９の長手方向に直交する方向を鍵９の鍵幅方向といい、鍵９の厚みの方向を鍵９の厚み方向という。
【００２７】
キーケース１は、本体部２と、挿入部３と、収容部４と、収容係止機構５とを備える。
【００２８】
本体部２は、平面視で長方形状に形成される板材が用いられる。なお、本体部２は、平面視で正方形状、菱形状等の矩形状、角形状、円形状等の如何なる形状で形成されてもよい。本体部２の材質は、日本工業規格で規定されるＡ２０１７、Ａ２０２４、Ａ７０７５等のジュラルミン等の金属で構成されるが、樹脂等で構成されてもよい。
【００２９】
本体部２は、長手方向の端部２ａと、短手方向の端部２ｂとを有する。また、本体部２は、一方の主面である表面２１と、表面２１の反対側の他方の主面である裏面２２と、長手方向の端部２ａに形成される側端面２３と、短手方向の端部２ｂに形成される側端面２４とを有する。ここで、本体部２の長手方向と短手方向にそれぞれ直交する方向を本体部２の厚み方向という。なお、本体部２は、長手方向と短手方向とが入れ替わってもよい。
【００３０】
本体部２は、長手方向の端部２ａ（側端面２３）が一部切り欠かれた切欠部２９に挿入部３が配置され、鍵９の鍵山部９１が収容可能な形状で収容部４が形成される。本体部２は、側端面２４に本体部２の長手方向に向けて延びる溝状の側端溝部２４１が形成され、側端溝部２４１に収容係止機構５が取り付けられる。側端溝部２４１には、収容係止機構５を覆うように配置される図示しない蓋が設けられてもよい。なお、側端溝部２４１は、省略されてもよく、このとき、側端面２４に収容係止機構５が取り付けられる。
【００３１】
挿入部３は、外形が直方体形状の箱型に形成され、鍵９の頭部９２を挿入して固定するためのものである。挿入部３は、端部に断面矩形状の開口部３１を有する。挿入部３は、開口部３１から鍵９の頭部９２が挿入して固定され、本体部２の長手方向の端部２ａ側に設けられた回転軸３９を介して、本体部２の長手方向のそれぞれの端部２ａ側に取り付けられる。挿入部３は、この回転軸３９を中心として、本体部２の面外方向に向けて（図中矢印Ｐ方向及びＱ方向に向けて）回転移動可能である。挿入部３の材質は、日本工業規格で規定されるアルミニウム合金ダイカスト等の金属で構成されるが、樹脂等で構成されてもよい。また、挿入部３の材質は、日本工業規格で規定されるＡ６０６３等のアルミニウム合金等の金属で構成されてもよい。
【００３２】
図３（ａ）は、図２（ａ）の２Ａ−２Ａ断面図であり主に挿入部３を拡大した図であり、図３（ｂ）は、図３（ａ）の３Ａ−３Ａ断面図である。挿入部３は、略中央部に互いに対向して配置される一対の貫通孔３２が形成される。挿入部３の貫通孔３２と鍵９の貫通孔９３とに固定部材３４が挿通される。固定部材３４は、例えば、ボルト３４１と、ナット３４２が用いられ、貫通孔３２にボルト３４１が挿通され、ボルト３４１の先端にナット３４２が螺着されて、挿入部３と鍵９の頭部９２とを固定部材３４を介して固定することができる。また、ナット３４２は、挿入部３から離間するにつれて外径が縮小するように傾斜されていてもよい。また、ボルト３４１の頭部の外形及びナット３４２の外形は、角形状とされていることが好ましい。これにより、ボルト３４１とナット３４２とを螺着させる作業を容易に行うことができる。また、挿入部３は、図３（ｂ）に示すように、収容係止機構５の凸部５１に対向する面に、半球状に窪ませた凹部３３が形成される。
【００３３】
収容係止機構５は、鍵９の鍵山部９１を収容部４に収容した状態で挿入部３の回転移動を係止するものである。収容係止機構５は、凸部５１と、弾性板材５２とを有する。
【００３４】
凸部５１は、挿入部３に接触させるためのものであり、例えば、金属製等のボールベアリングが用いられる。凸部５１は、本体部２の切欠部２９に向けて突出され、挿入部３の凹部３３に嵌合可能である。凸部５１は、本体部２の側端溝部２４１に形成される孔２４２に嵌め込まれる。なお、凸部５１は、これに限らず、挿入部３に接触させるものであれば、他の形態によって具現化されてもよい。
【００３５】
弾性板材５２は、弾性変形可能な金属等で構成される板材が用いられ、凸部５１が接触されて設けられる一端部５２１と、本体部２の側端面２４の側端溝部２４１に固定される他端部５２２と、を有する。弾性板材５２は、凸部５１側に向けて折り曲げた折り曲げ部５４が一端部５２１側に形成される。弾性板材５２は、他端部５２２がボルト５３により側端面２４の側端溝部２４１に固定されており、側端溝部２４１の内部に配置される。
【００３６】
図４は、図２（ａ）の２Ｂ−２Ｂ断面図である。収容部４は、鍵９の鍵山部９１を収容するためのものである。収容部４に鍵９の鍵山部９１が収容されたとき、本体部２の面内方向と、鍵９の面内方向とが略一致した状態となり、鍵９が本体部２の面内に収められる。収容部４は、本体部２の表面２１と裏面２２とがそれぞれ切り欠かれて２か所に形成される。収容部４は、収容される鍵９の鍵山部９１に対向する底板部４１と、底板部４１から表面２１又は裏面２２に向けて延びる側壁部４２とを有する。底板部４１には開口部４３が形成される。
【００３７】
次に、キーケース１に鍵９を収納する手順について説明する。先ず、図２（ｂ）に示すように、本体部２に対して開いた状態（挿入部３の開口部３１が収容部４に対向されていない状態）の挿入部３に、鍵９の頭部９２を挿入し、挿入部３と鍵９の頭部９２とを固定部材３４を介して固定する。そして、鍵９の頭部９２が挿入された挿入部３を本体部２に対して閉じる方向（図中矢印Ｐ方向）に向けて回転軸３９を介して回転移動させる。
【００３８】
図５（ａ）は、本発明を適用したキーケース１における挿入部３の移動を収容係止機構５により係止する前の状態を示す図であり、図５（ｂ）は、挿入部３の移動を収容係止機構５により係止した状態を示す図である。図５（ａ）に示すように、鍵９の頭部９２が挿入された挿入部３を回転軸３９を介して回転移動させることで、本体部２の切欠部２９に突出された凸部５１が挿入部３に接触され、挿入部３が本体部２に対してわずかに傾斜した状態となる。この状態から、さらに挿入部３及び鍵９の鍵山部９１の何れか一方又は両方を本体部２に対して閉じる方向（図中矢印Ｐ方向に向けて）に、ユーザが外力を加える。これにより、挿入部３に接触した凸部５１から弾性板材５２の一端部５２１側に力が作用して、この一端部５２１側が弾性板材５２の他端部５２２を基点として変位する。弾性板材５２の一端部５２１が変位することで、凸部５１が本体部２の切欠部２９から離間する方向に（紙面手前方向に）移動する。その結果、図５（ｂ）に示すように、挿入部３を本体部２の切欠部２９に配置させるとともに、鍵９の鍵山部９１が収容部４に収容されることとなる。このとき、変位した弾性板材５２の一端部５２１側に作用する元の位置に戻ろうとする力が凸部５１を介して挿入部３に作用して、凸部５１を介して挿入部３が係止される。このようにして、鍵９の鍵山部９１を収容部４に収容した状態で挿入部３の回転移動を収容係止機構５により係止することが可能となる。
【００３９】
特に、鍵９の鍵山部９１を収容部４に収容したとき、挿入部３の凹部３３に凸部５１が嵌合されている。これにより、鍵９の鍵山部９１側が収容部４に収容された状態で挿入部３の回転移動を収容係止機構５により強固に係止することが可能となる。なお、挿入部３の凹部３３に凸部５１が嵌合された際には、変位させていた弾性板材５２の一端部５２１側が元の位置に戻っていてもよい。
【００４０】
鍵９の鍵山部９１を収容部４の外側に取り出す際には、挿入部３及び鍵９の鍵山部９１の何れか一方又は両方を本体部２に対して開く方向（図中矢印Ｑ方向）にユーザが外力を作用させることで、収容係止機構５による挿入部３の回転移動の係止を解除すればよい。
【００４１】
本発明を適用したキーケース１によれば、鍵９の鍵山部９１を収容部４に収容した状態で挿入部３の移動を係止する収容係止機構５を備える。これにより、本発明を適用したキーケース１によれば、ユーザの意思に反して鍵９が収容部４から脱離することなく、鍵９の鍵山部９１を収容部４に収容した状態を維持することが可能となり、その結果、携帯の利便性を向上させることが可能となる。
【００４２】
また、本発明を適用したキーケース１によれば、特段鍵９自体に加工を行う必要が無く、挿入部３に鍵９の頭部９２を挿入して固定すればよい。即ち、本発明を適用したキーケース１によれば、鍵９の頭部９２が挿入部３に挿入されるものであれば用いることができるため、汎用性を高くすることが可能となる。
【００４３】
また、本発明を適用したキーケース１によれば、収容係止機構５により挿入部３の移動を係止するため、鍵９の鍵山部９１を収容部４に容易に収容することが可能となる。また、本発明を適用したキーケース１によれば、収容係止機構５による挿入部３の移動の係止を解除すれば、収容部４に収容された鍵９の鍵山部９１を外側に容易に取り出すことができる。このように、本発明を適用したキーケース１によれば、鍵９の収容と取り出しを容易に行うことが可能となる。
【００４４】
特に、本発明を適用したキーケース１によれば、収容係止機構５は、挿入部３に接触させるための凸部５１と、凸部５１が設けられる一端部５２１と本体部２の側端面２４に固定される他端部５２２とを有する弾性板材５２とを有する。これにより、本発明を適用したキーケース１によれば、弾性板材５２は、凸部５１が挿入部３に接触されることで、他端部５２２を基点として一端部５２１側が変位するものとなる。このため、本発明を適用したキーケース１は、ユーザが特段大きな力を作用させる必要がなく、収容係止機構５による挿入部３の係止とその解除を行うことができ、鍵９の収容と取り出しを一層容易に行うことが可能となる。
【００４５】
本発明を適用したキーケース１によれば、挿入部３は、凸部５１に嵌合される凹部３３を有する。これにより、本発明を適用したキーケース１によれば、挿入部３の移動をより強固に係止させることができ、鍵９の鍵山部９１を収容部４に収容した状態を安定させることが可能となる。
【００４６】
本発明を適用したキーケース１によれば、弾性板材５２は、凸部５１側に向けて折り曲げた折り曲げ部５４が一端部５２１側に形成される。これにより、本発明を適用したキーケース１によれば、ユーザの手が弾性板材５２の一端部５２１に接触するのを抑制することができ、弾性板材５２の一端部５２１に接触することによる裂傷等の怪我を抑制することが可能となる。
【００４７】
本発明を適用したキーケース１によれば、弾性板材５２は、本体部２の側端面２４に形成される側端溝部２４１の内部に配置される。これにより、本発明を適用したキーケース１によれば、弾性板材５２が本体部２の側端面２４から突出されないものとなり、ユーザの手が弾性板材５２に接触するのを抑制することができ、弾性板材５２に接触することによる裂傷等の怪我を一層抑制することが可能となる。
【００４８】
本発明を適用したキーケース１によれば、収容部４は、表面２１と裏面２２とにそれぞれ形成される。これにより、本発明を適用したキーケース１によれば、鍵９の鍵山部９１に対向する底板部４１が表面２１と裏面２２とにそれぞれ形成されることとなる。このため、本発明を適用したキーケース１によれば、２つの挿入部３にそれぞれ鍵９の頭部９２を挿入して鍵９の鍵山部９１を収容部４から取り出す際に、２つの挿入部３の回転方向を互いに逆方向に回転させることが可能となる。即ち、本発明を適用したキーケース１によれば、挿入部３を回転移動させて鍵９の鍵山部９１を収容部４から取り出す際に、２つの鍵９をそれぞれ挿入部３の回転方向で識別することが可能となる。
【００４９】
ここで、キーケース１は、挿入部３の開口部３１の大きさは一定であるのに対して、鍵９は、その厚みが鍵によって様々であり、場合によっては、鍵９の頭部９２を挿入部３に挿入したとき、鍵９がその厚さ方向にずれることが生じ得る。
【００５０】
そこで、本発明を適用したキーケース１は、鋼板等の板材が折り曲げられて形成される折り返し板材６を更に備えていてもよい。図６（ａ）は、折り返し板材６の折り返し部６１の延伸方向から見た図であり、図６（ｂ）は、図６（ａ）の図中矢印６Ａ方向から見た図である。
【００５１】
折り返し板材６は、板材が折り返されて形成されて所定の方向に延伸される折り返し部６１と、折り返し板材６の両端部６ａ、６ｂに向けてそれぞれ延びる一対の挟持板部６２、６３と、端部６ｂに挟持板部６３の面内方向に向けて突出されて形成される突出部６７とを有する。また、折り返し板材６は、挟持板部６２、６３にそれぞれ貫通孔６４が形成される。
【００５２】
折り返し板材６は、折り返し部６１の両端部に切欠部６１１がそれぞれ形成される。
【００５３】
折り返し板材６は、折り返し板材６の内面６ｃに向けて所定の屈曲角度θで屈曲される第１屈曲部６５が挟持板部６２に形成される。この屈曲角度は、０°を超えて１８０°未満である。屈曲角度θが１２０°未満である場合には、鍵９の頭部９２を挿入部３に挿入する際に、第１屈曲部６５よりも端部６ａ側の挟持板部６２が鍵９の頭部９２に巻き込まれやすくなってしまう。また、屈曲角度θが１５０°を超える場合には、第１屈曲部６５よりも端部６ａ側で挟持板部６２を鍵９の頭部９２に当接させる際の力が若干低下する。このため、屈曲角度θは、１２０°以上１５０°以下であることが好ましい。
【００５４】
また、折り返し板材６は、第１屈曲部６５よりも端部６ａ側を内面６ｃに向けて所定の角度で屈曲させた第２屈曲部６６が挟持板部６２に形成される。第２屈曲部６６は、折り返し板材６の端部６ａを第１屈曲部６５に近接するように屈曲されて、第２屈曲部６６における外面６ｄが丸みを帯びた形状となる。なお、第１屈曲部６５及び第２屈曲部６６は、挟持板部６３に形成されてもよい。
【００５５】
折り返し板材６は、図６（ｂ）に示すように、突出部６７の外形が円弧状に形成され、突出部６７に孔６８が形成される。折り返し板材６は、折り返し部６１の延伸方向における略中央に突出部６７が配置され、突出部６７よりも両側が折り返し部６１に向けて傾斜されている。なお、突出部６７は、端部６ａに挟持板部６２の面内方向に向けて突出されて形成されてもよい。
【００５６】
次に、折り返し板材６を用いて鍵９の頭部９２を挿入部３に挿入する手順について説明する。図７（ａ）は、折り返し板材６を挿入部３に挿入する前の図であり、図７（ｂ）は、折り返し板材６を挿入部３に挿入した後の図である。
【００５７】
折り返し板材６を用いて鍵９の頭部９２を挿入部３に挿入するには、先ず、図７（ａ）に示すように、折り返し板材６の一対の挟持板部６２、６３の間に、鍵９の頭部９２を配置する。折り返し板材６を挿入部３に挿入する前においては、折り返し部６１から両端部６ａ、６ｂに向かうにつれて一対の挟持板部６２、６３が拡開されており、端部６ａ、６ｂにおいては挿入部３の開口部３１よりも拡開されている。
【００５８】
図７（ｂ）に示すように、一対の挟持板部６２、６３の間に鍵９の頭部９２を配置した折り返し板材６を、折り返し部６１側から挿入部３に挿入する。挿入部３に折り返し板材６を挿入する際には、折り返し部６１が挿入部３に当接するまで挿入することが好ましい。これにより、折り返し板材６の挿入方向へのズレを防止することができる。
【００５９】
挿入部３に折り返し板材６を挿入することで、挿入部３の開口部３１よりも拡開されていた折り返し板材６の両端部６ａ、６ｂが互いに近づくようにして折り返し板材６が弾性変形され、鍵９の頭部９２を一対の挟持板部６２、６３で挟んで固定するものとなる。
【００６０】
詳細には、挿入部３に折り返し板材６を挿入することで、挿入部３と鍵９の頭部９２に挟持板部６３が当接されるとともに、挟持板部６２の第１屈曲部６５が挿入部３に当接され、第１屈曲部６５よりも端部６ａ側に配置される挟持板部６２の第２屈曲部６６が鍵９の頭部９２に当接される。
【００６１】
第１屈曲部６５が挿入部３に当接されることで、第１屈曲部６５における屈曲角度θが適宜拡開、縮小等調整されて、第１屈曲部６５よりも端部６ａ側の挟持板部６２が鍵９の頭部９２に当接されることとなる。つまり、折り返し板材６が内面６ｃに向けて所定の屈曲角度θで屈曲される第１屈曲部６５を有することで、開口部３１の開口高さＨと鍵９の厚さｔとに差があったとしても、鍵９の厚さｔによらずこの差を調整することができる。
【００６２】
また、第２屈曲部６６が鍵９の頭部９２に当接されることで、折り返し板材６の端部６ａが鍵９の頭部９２から離間される。
【００６３】
そして、挿入部３に折り返し板材６と鍵９を挿入した後、挿入部３の貫通孔３２、折り返し板材６の貫通孔６４及び鍵９の頭部９２の貫通孔９３に、ボルト３４１を挿通し、挿通したボルト３４１にナット３４２を螺着して、挿入部３、折り返し板材６及び鍵９を固定部材３４により固定する。また、挿入部３に折り返し板材６を挿入した後、突出部６７の孔６８が挿入部３の外側に配置される。
【００６４】
折り返し板材６を挿入部３から取り外す際には、固定部材３４を取り外した後、挿入部３の外側に配置された突出部６７をユーザの指で握持して、挿入部３から折り返し板材６を引き抜けばよい。折り返し板材６を挿入部３から引き抜くことで、折り返し部６１に鍵９の頭部９２が掛け止められた状態で、鍵９も挿入部３から取り外すことができる。
【００６５】
なお、これに限らず、折り返し板材６を挿入部３から取り外す際には、挿入部３の外側に配置された突出部６７の孔６８に図示しない針、ペン先等の棒状部材を挿通し、この棒状部材を介して折り返し板材６を引き抜いてもよい。
【００６６】
本発明を適用したキーケース１によれば、折り返し板材６は、折り返し部６１から挿入部３に挿入されて、一対の挟持板部６２、６３が鍵９の頭部９２を挟んで固定するものとなる。これにより、本発明を適用したキーケース１によれば、鍵９の頭部９２を挿入部３に挿入したとき、鍵９の厚み方向にずれるのを抑制することが可能となる。
【００６７】
本発明を適用したキーケース１によれば、折り返し板材６は、内面６ｃ側に向けて所定の角度で屈曲させた第１屈曲部６５が挟持板部６２に形成される。これにより、本発明を適用したキーケース１によれば、挿入部３に折り返し板材６を挿入したとき、第１屈曲部６５における屈曲角度θが適宜調整されて、第１屈曲部６５よりも端部６ａ側で挟持板部６２を鍵９の頭部９２を当接させることができる。このため、本発明を適用したキーケース１によれば、挿入部３に挿入される鍵９の厚さによらず、鍵９の厚み方向にずれるのを一層抑制することが可能となる。
【００６８】
本発明を適用したキーケース１によれば、第１屈曲部６５における屈曲角度θが１２０°以上１５０°以下であることにより、第１屈曲部６５よりも端部６ａ側で挟持板部６２を鍵９の頭部９２を当接させるのに必要な力を確保することが可能となりながら、鍵９を挿入部３に挿入しやすさを確保することが可能となる。
【００６９】
また、仮に折り返し板材６の端部６ａが鍵９の頭部９２に当接された場合には、当接された折り返し板材６の端部６ａにより鍵９の頭部９２が傷付く可能性がある。本発明を適用したキーケース１によれば、第１屈曲部６５よりも端部６ａ側を内面６ｃ側に向けて屈曲させた第２屈曲部６６が挟持板部６２に形成され、第２屈曲部６６が鍵９の頭部９２に当接される。これにより、本発明を適用したキーケース１によれば、鍵９の頭部９２には折り返し板材６の端部６ａから離間されるため、鍵９の頭部９２が傷付くのを防止することが可能となる。
【００７０】
本発明を適用したキーケース１によれば、折り返し板材６は、挿入部３の外側に配置される突出部６７を有する。これにより、本発明を適用したキーケース１は、挿入部３に挿入された折り返し板材６を取り外す際に、挿入部３から突出された突出部６７を把持して取り外すことができ、折り返し板材６の取り外しを容易に行うことが可能となる。そして、本発明を適用したキーケース１によれば、折り返し板材６を挿入部３から取り外すことで、折り返し部６１に掛け止められた鍵９も合わせて取り外すことができる。その結果、本発明を適用したキーケース１によれば、鍵９の頭部９２を挿入部３から取り外す作業を容易に行うことが可能となる。
【００７１】
本発明を適用したキーケース１によれば、折り返し板材６は、突出部６７に孔６８が形成される。これにより、本発明を適用したキーケース１によれば、針等の棒状部材を孔６８に挿通した状態で、折り返し板材６を挿入部３から取り外すことができる。このため、本発明を適用したキーケース１は、鍵９の頭部９２を挿入部３から取り外す作業を容易に行うことが可能となる。
【００７２】
本発明を適用したキーケース１は、鍵９の鍵山部９１を収容部４から取り出した状態で挿入部３の移動を制御する制御機構７を更に備えていてもよい。
【００７３】
図８（ａ）は、制御機構７を本体部２の厚み方向に直交する面で切った断面図であり、図８（ｂ）は、図８（ａ）を本体部２の短手方向から見た図である。図９（ａ）は、制御機構７により挿入部３の移動を係止した状態を本体部２の厚み方向に直交する面で切った断面図であり、図９（ｂ）は、図９（ａ）を本体部２の短手方向から見た図である。制御機構７は、回転軸３９を挟んで両側に配置される一対の被係止部７１、７２と、一対の被係止部７１、７２に係止される係止部７３とを有する。制御機構７は、溝状の一対の被係止部７１、７２が本体部２に形成され、突起状の係止部７３が挿入部３に形成されるが、これに限らず、一対の被係止部７１、７２が挿入部３に形成され、係止部７３が本体部２に形成されてもよい。
【００７４】
図８（ｂ）に示すように、鍵９の鍵山部９１を収容部４に収容したとき、係止部７３が一方の被係止部７１に嵌め込まれた状態となる。そして、挿入部３を本体部２に対して開く方向（図中矢印Ｑ方向）に向けて回転軸３９を介して回転移動させる。その結果、挿入部３の係止部７３も回転軸３９を介して回転移動し、図９に示すように、係止部７３が他方の被係止部７２に係止されることとなる。これにより、制御機構７は、挿入部３の回転移動を制御することが可能となる。更に、制御機構７は、係止部７３が他方の被係止部７２に嵌め込み可能である場合には、鍵９の鍵山部９１が収容部４から取り出された状態で挿入部３の回転移動を係止することも可能となる。これにより、鍵９の鍵山部９１により錠を開ける作業を、本体部２をユーザが握持した状態で行うことができ、開錠作業を容易に行うことが可能となる。
【００７５】
なお、鍵９の鍵山部９１が収容部４に収容された状態から収容部４から取り出した状態までに回転した挿入部３の回転角度は、１８０°であることが好ましい。これにより、鍵９の鍵山部９１により錠を開ける作業を、本体部２をユーザが握持した状態で行うのを一層容易にすることができ、開錠作業を一層容易に行うことが可能となる。
【００７６】
本発明を適用したキーケース１によれば、制御機構７は、鍵９の鍵山部９１を収容部４から取り出した状態で挿入部３の移動を係止する。これにより、例えば、ユーザが上方から下方にキーケース１を振ることで、収容部４に収容された鍵９の鍵山部９１を収容係止機構５による係止を解除するとともに、係止が解除された挿入部３の回転移動を制御機構７により鍵９の鍵山部９１を収容部４から取り出した状態で係止させることができる。このように、本発明を適用したキーケース１によれば、鍵９の鍵山部９１を収容部４から収容した状態での収容係止機構５による係止の解除と、鍵９の鍵山部９１を収容部４から取り出した状態での制御機構７による係止と、を一連の動作の中で行うことが可能となる。その結果、本発明を適用したキーケース１によれば、利便性を一層向上させることが可能となる。
【００７７】
制御機構７は、上述した形態に限らず、収容部４から取り出した状態で挿入部３の回転移動を係止するヒンジ機構等によって具現化されてもよい。
【００７８】
以下、本発明を適用したキーケース１の各構成の変形例について説明する。
【００７９】
図１０（ａ）は、挿入部３の第１変形例を鍵９の鍵幅方向に直交する面で切った断面図である。図１０（ａ）に示すように、挿入部３は、溝部３５が形成され、溝部３５に貫通孔３２が形成される。これにより、貫通孔３２に挿通されるボルト３４１の頭部と、ナット３４２とを、溝部３５から突出されないように配置することができる。このため、ユーザが本発明を適用したキーケース１をポケット等に収納する際や取り出す際に、ボルト３４１の頭部やナット３４２に引っ掛かることなく、スムーズに行うことが可能となり、携帯の利便性を向上させることが可能となる。
【００８０】
図１０（ｂ）は、挿入部３の第２変形例を鍵９の鍵幅方向に直交する面で切った断面図である。図１０（ｂ）に示すように、挿入部３は、固定部材３４に接続するためのバネ、紐等の接続部材３６が取り付けられる。これにより、固定部材３４が挿入部３から脱離するのを防止することが可能となる。
【００８１】
図１１（ａ）は、挿入部３の第３変形例を鍵９の鍵幅方向に直交する面で切った断面図である。図１１（ａ）に示すように、挿入部３の内面３０には微細な凹凸が形成されて高摩擦係数とされている。このとき、挿入部３の内面３０が鍵９の頭部９２に当接されて、鍵９の頭部９２を挿入部３に強固に固定することが可能となる。
【００８２】
図１１（ｂ）は、挿入部３の第４変形例を鍵９の鍵幅方向に直交する面で切った断面図である。図１１（ｂ）に示すように、挿入部３は、鍵９の厚み方向に向けて変形可能に構成される樹脂等が用いられる。このとき、挿入部３に鍵９の頭部９２を挿入することで、鍵９の頭部９２の厚み方向に内部応力Ｔを作用させることができ、挿入部３に鍵９の頭部９２を固定するものとなる。
【００８３】
図１１（ｃ）は、挿入部３の第５変形例を鍵９の鍵幅方向に直交する面で切った断面図である。図１１（ｃ）に示すように、挿入部３の内面３０に複数の突起部３０１が形成される。これら複数の突起部３０１は、弾性変形可能な樹脂、金属等が用いられ、互いに対向して配置される。挿入部３は、互いに対向して配置された複数の突起部３０１が鍵９の頭部９２を両側から挟んで固定するものとなる。
【００８４】
図１１（ｄ）は、挿入部３の第６変形例を鍵９の鍵幅方向に直交する面で切った断面図である。図１１（ｄ）に示すように、挿入部３の内面３０に複数の突起部３０１が形成される。これら複数の突起部３０１は、互いに対向することなく、開口部３１から挿入部３の奥側に向かうにつれて、一方側と他方側とに交互に配置される。挿入部３は、内面３０に交互に配置された突起部３０１が鍵９の頭部９２を一方側又は他方側から当接させて、固定するものとなる。
【００８５】
図１２（ａ）は、挿入部３の第７変形例を鍵９の鍵幅方向に直交する面で切った断面図である。図１２（ａ）に示すように、挿入部３に図中矢印Ｒ方向に回転可能なローラー部材３０２が設けられてもよい。挿入部３がローラー部材３０２を有することで、鍵９の頭部９２の挿入と取り出しとを容易に行うことが可能となる。
【００８６】
図１２（ｂ）は、挿入部３の第８変形例を鍵９の鍵幅方向に直交する面で切った断面図である。図１２（ｂ）に示すように、挿入部３は、開口部３１から挿入部３の奥側に向かうにつれて、内部が縮小するように形成されてもよい。これにより、挿入部３は、鍵９の厚みに応じて、適切な位置で鍵９の頭部９２を挟んで固定するものとなる。
【００８７】
図１２（ｃ）は、挿入部３の第９変形例を鍵９の鍵幅方向に直交する面で切った断面図である。図１２（ｃ）に示すように、挿入部３は、内面３０に突出された突起部３０３が形成される。突起部３０３は、弾性変形可能な樹脂、金属等が用いられる。挿入部３は、鍵９の頭部９２を挿入することにより突起部３０３を弾性変形させて、突起部３０３を鍵９の頭部９２に形成された貫通孔９３に嵌め込むことにより固定するものとなる。
【００８８】
図１３（ａ）は、挿入部３の第１０変形例を鍵９の厚み方向に直交する面で切った断面図である。図１３（ａ）に示すように、挿入部３は、内部に鍵９の頭部９２が掛け止められる掛止部３０４を有する。掛止部３０４は、鍵９の鍵幅方向において鍵９の頭部９２を挟んで両側に配置され、挿入部３の内部に図示しないヒンジ機構等を介して取り付けられる。また掛止部３０４は、弾性変形可能な樹脂、金属等が用いられ、鍵９の頭部９２を掛け止めるものであってもよい。挿入部３は、掛止部３０４を有することにより、鍵９の頭部９２が挿入されたとき、鍵９の頭部９２が掛止部３０４に掛け止められて固定するものとなる。
【００８９】
図１３（ｂ）は、挿入部３の第１１変形例を鍵９の厚み方向に直交する面で切った断面図である。図１３（ｂ）に示すように、挿入部３は、鍵９の鍵幅方向に向けて変形可能に構成される樹脂等が用いられる。このとき、挿入部３に鍵９の頭部９２を挿入することで、鍵９の頭部９２の鍵幅方向に内部応力Ｔを作用させることができ、挿入部３に鍵９の頭部９２を固定するものとなる。
【００９０】
図１３（ｃ）は、挿入部３の第１２変形例を鍵９の厚み方向に直交する面で切った断面図である。図１３（ｃ）に示すように、挿入部３は、例えば、ビーズ等の粒状体が敷き詰められることで、挿入される鍵９の頭部９２の形状に合わせて変形可能なものであってもよい。これにより、挿入部３は、鍵９の頭部９２の形状によらず、鍵９の頭部９２を挿入させることが可能となる。
【００９１】
図１３（ｄ）は、挿入部３の第１３変形例を鍵９の厚み方向から見た図である。図１３（ｄ）に示すように、挿入部３は、本体部２に対して着脱自在に構成される。これにより、本体部２に取り付けられた状態の挿入部３に鍵９の頭部９２を挿入したり、取り外したりする必要が無く、本体部２から取り外された状態の挿入部３に鍵９の頭部９２を挿入したり、取り外したりすることができる。このため、挿入部３に鍵９の頭部９２を挿入したり、取り外したりする作業を容易に行うことが可能となる。また、本体部２に対して着脱自在な挿入部３に色彩等を予め施すことができ、ユーザの好みに応じて挿入部３を本体部２に対して着脱することができ、キーケース１の自由度を高めることが可能となる。
【００９２】
図１４は、収容部４の第１変形例を示す図であり、図１４（ａ）は、本体部２の厚み方向から見た図であり、図１４（ｂ）は、図１４（ａ）の１４Ａ−１４Ａ断面図である。図１４（ａ）に示すように、収容部４は、収容される鍵９の先端部９ａ側の底板部４１に開口部４３が形成される。これにより、図１４（ｂ）に示すように、開口部４３からユーザが指を挿入して鍵９の鍵山部９１に外力を作用させることで、回転軸３９を介して挿入部３を図中矢印Ｑ方向に回転移動させて、収容部４に収容された鍵９の鍵山部９１を収容部４から取り外すことが可能となる。特に、鍵９の先端部９ａ側の底板部４１に開口部４３が形成されることで、開口部４３から回転軸３９までの距離を大きくすることができる。このため、梃子の原理により鍵９の鍵山部９１に作用させる力を小さくしたとしても、回転軸３９を介して挿入部３を回転移動させることができ、収容部４に収容された鍵９の鍵山部９１を収容部４からより容易に取り外すことが可能となる。また、開口部４３は、内面がユーザの指の形状に合わせてテーパ状に形成されていてもよいし、単にテーパ状に形成されていてもよい。
【００９３】
図１５は、収容部４の第２変形例を鍵９の長手方向に直交する面で切った断面図である。収容部４は、表面２１が切り欠かれて形成され、底板部４１が表面２１に向けて緩やかな曲線状に形成される。これにより、収容部４は、底板部４１を鍵９の鍵山部９１に当接させることができ、鍵９の鍵山部９１が鍵９の鍵幅方向に対してずれるのを防止することが可能となる。
【００９４】
図１６は、収容係止機構５の第１変形例を示す図であり、図１６（ａ）は、鍵９の厚み方向から見た図であり、図１６（ｂ）は、図１６（ａ）の１６Ａ−１６Ａ断面図である。収容係止機構５は、弾性変形可能な樹脂、金属等が用いられる凸部５０１を有する。凸部５０１の基端側は、収容部４の側壁部４２に取り付けられ、凸部５０１の先端側は、凸部５０１の基端側を基点として変位するものとなる。このとき、収容係止機構５は、凸部５０１により鍵９の鍵山部９１を係止させることで、鍵９の鍵山部９１を収容部４に収容した状態で挿入部３の回転移動を係止するものとなる。これにより、ユーザの意思に反して鍵９が収容部４から脱離することなく、鍵９の鍵山部９１を収容部４に収容した状態を維持することが可能となり、その結果、携帯の利便性を向上させることが可能となる。
【００９５】
鍵９の鍵山部９１を収容部４から取り出す際には、図１６（ｂ）に示すように、ユーザが図中矢印Ｑ方向に向けて力を作用させて挿入部３を回転軸３９を介して回転移動させる。このとき、凸部５０１の先端側が鍵９の鍵山部９１に接触されて変位するものとなり、鍵９の鍵山部９１を収容部４から取り外すことができる。鍵９の鍵山部９１を収容部４に収容する際には、ユーザが図中矢印Ｐ方向に向けて力を作用させて挿入部３を回転軸３９を介して回転移動させる。このとき、凸部５０１の先端側が鍵９の鍵山部９１に接触されて変位するものとなり、鍵９の鍵山部９１を収容部４に収容することができる。
【００９６】
図１７は、制御機構７の第１変形例を本体部２の短手方向に直交する面で切った断面図である。図１７に示すように、制御機構７は、回転軸３９から突出されて形成される係止部７４と、回転軸３９が挿通される軸孔２３９から回転軸３９に向けて突出されて形成されて係止部７４に係止される被係止部７５とを有する。制御機構７は、係止部７４と、被係止部７５とを互いに係止させることで、回転軸３９を介して図中矢印Ｐ方向及び図中矢印Ｑ方向に向けて回転移動する挿入部３の移動を制御するものであってもよい。
【００９７】
図１８（ａ）は、制御機構７の第２変形例を本体部２の厚み方向に直交する面で切った断面図であり、図１８（ｂ）は、本体部２の短手方向から見た図である。図１８（ａ）に示すように、制御機構７は、回転軸３９から突出されて形成される係止部７３と、本体部２に溝状に形成されて係止部７３に係止される被係止部７１とを有する。制御機構７は、回転軸３９を図中矢印Ｐ方向及び図中矢印Ｑ方向に向けて回転移動させることで、回転軸３９から突出された係止部７３も、溝状に形成される被係止部７１内で回転移動することとなる。このとき、制御機構７は、係止部７３と、被係止部７１とを互いに係止させることで、回転軸３９を介して図中矢印Ｐ方向及び図中矢印Ｑ方向に向けて回転移動する挿入部３の移動を制御するものであってもよい。
【００９８】
図１９（ａ）は、折り返し板材６の第１変形例を鍵９の鍵幅方向に直交する面で切った断面図である。図１９（ａ）に示すように、折り返し板材６は、挿入部３の外側に配置される突出部６７を端部６ａ及び端部６ｂに有していてもよい。
【００９９】
図１９（ｂ）は、折り返し板材６の第２変形例を鍵９の鍵幅方向に直交する面で切った断面図である。図１９（ｂ）に示すように、折り返し板材６は、挟持板部６２に第１屈曲部６５が形成され、端部６ａが鍵９の頭部９２に当接させてもよい。
【０１００】
図１９（ｃ）は、折り返し板材６の第３変形例を鍵９の鍵幅方向に直交する面で切った断面図である。図１９（ｃ）に示すように、折り返し板材６は、挟持板部６２が折り返し部６１から端部６ａに向けて波形状に形成されるとともに、挟持板部６３が折り返し部６１から端部６ｂに向けて波形状に形成されてもよい。このとき、折り返し板材６は、波形状の挟持板部６３と、波形状の挟持板部６２とが鍵９の頭部９２にそれぞれ複数の箇所で当接されて、挟んで固定するものとなる。
【０１０１】
図１９（ｄ）は、折り返し板材６の第４変形例を鍵９の鍵幅方向に直交する面で切った断面図である。図１９（ｄ）に示すように、折り返し板材６は、挟持板部６２が折り返し部６１から端部６ａに向けて波形状に形成されるとともに、挟持板部６３が折り返し部６１から端部６ｂに向けて波形  状に形成されてもよい。この折り返し板材６は、折り返し部６１から両端部６ａ、６ｂに向かうにつれて、挟持板部６２、６３が拡開するように形成される。これにより、折り返し板材６は、鍵９の厚みに応じて、適切な位置で挟持板部６２、６３とにより挟んで固定するものとなる。
【０１０２】
図１９（ｅ）は、折り返し板材６の第５変形例を鍵９の鍵幅方向に直交する面で切った断面図である。図１９（ｅ）に示すように、折り返し板材６は、互いに対向して配置される突起部１６２が挟持板部６２、６３にそれぞれ形成されてもよい。このとき、折り返し板材６は、挟持板部６３の突起部１６２と、挟持板部６２の突起部１６２とにより鍵９の頭部９２を挟んで固定するものとなる。
【０１０３】
図１９（ｆ）は、折り返し板材６の第６変形例を鍵９の鍵幅方向に直交する面で切った断面図である。図１９（ｆ）に示すように、折り返し板材６は、突起部１６２が挟持板部６３のみに形成されてもよく、このとき、折り返し板材６は、挟持板部６３の突起部１６２と、挟持板部６２とにより鍵９の頭部９２を挟んで固定するものとなる。なお、図示は省略するが、折り返し板材６は、突起部１６２が挟持板部６２のみに形成されてもよい。
【０１０４】
図１９（ｇ）は、折り返し板材６の第７変形例を鍵９の鍵幅方向に直交する面で切った断面図である。図１９（ｇ）に示すように、折り返し板材６は、折り返し部６１から両端部６ａ、６ｂに向かうにつれて、挟持板部６２、６３が拡開するように形成されてもよい。これにより、折り返し板材６は、鍵９の厚みに応じて、適切な位置で挟持板部６２、６３とにより挟んで固定するものとなる。
【０１０５】
図２０（ａ）は、折り返し板材６の第８変形例を鍵９の長手方向に直交する面で切った断面図である。図２０（ａ）に示すように、折り返し板材６は、内面６ｃに微細な凹凸が形成され、高摩擦係数となっている。これにより、折り返し板材６は、内面６ｃと鍵９の溝９４とを互いに当接させることで、鍵９の頭部９２を強固に固定することが可能となる。
【０１０６】
図２０（ｂ）は、折り返し板材６の第９変形例を鍵９の長手方向に直交する面で切った断面図である。図２０（ｂ）に示すように、折り返し板材６は、鍵９の鍵幅方向に向けて連続した複数の突起部１６１が挟持板部６２、６３とに形成されてもよい。突起部１６１は、弾性変形可能な樹脂、金属等が用いられる。
【０１０７】
図２０（ｃ）は、折り返し板材６の第１０変形例を鍵９の長手方向に直交する面で切った断面図である。図２０（ｃ）に示すように、折り返し板材６は、鍵９の鍵幅方向に向けて離間した複数の突起部１６１が挟持板部６２、６３とに形成されてもよい。
【０１０８】
図２１（ａ）は、折り返し板材６の第１１変形例を折り返し部６１の延伸方向に直交する方向から見た図であり、図２１（ｂ）は、図２１（ａ）に示す折り返し板材６を鍵９の鍵幅方向に直交する面で切った断面図である。折り返し板材６は、挟持板部６２、６３にエンボス加工により形成される複数の突起部１６３が形成されてもよい。このとき、折り返し板材６は、挟持板部６３の突起部１６３と、挟持板部６２の突起部１６３とにより鍵９の頭部９２を挟んで固定するものとなる。突起部１６３は、挟持板部６２又は挟持板部６３に形成されるものであってもよい。
【０１０９】
図２１（ａ）は、本体部２の第１変形例を本体部２の厚み方向から見た図である。図２１（ａ）に示すように、本体部２は、他の本体部２に連結するための連結機構１００を有する。連結機構１００は、一方の側端面２４から突出される連結部１１１と、他方の側端面２４から窪ませられて形成されて連結部１１０と連結可能な被連結部１２１とを有する。連結部１１１には、孔１１２が形成される。また、被連結部１２１には、孔１２２が形成される。連結部１１１と被連結部１２１とは、互いに嵌合可能である。
【０１１０】
図２１（ｂ）は、２つの本体部２、２´を連結機構１００により連結した状態を本体部２の長手方向に直交する面で切った断面図である。実際に２つの本体部２を連結機構１００により連結するには、一方のキーケース１における本体部２の連結部１１１と、他方のキーケース１´における本体部２´の被連結部１２１´とを互いに連結する。このとき、連結部１１１と被連結部１２１´とが互いに嵌合されるとともに、連結部１１１の孔１１２と、被連結部１２１´の孔１２２´とが互いに位置合わせされる。これら互いに位置合わせされた孔１１２と孔１２２とにボルトナット等の連結部材１３０を介して、連結部１１１と被連結部１２１´とを互いに連結固定することとなる。
【０１１１】
図示の形態において、２つの本体部２、２´を連結機構１００により連結する形態について説明したが、本体部２に連結部１１１と、被連結部１２１とを有する構成とすることで、ユーザの必要に応じて２以上の複数の本体部２を連結することも可能である。また、本体部２の連結機構１００が側端面２４に形成されるのに限らず、側端面２３に形成されてもよい。
【０１１２】
図２３（ａ）は、本体部２の第２変形例を本体部２の長手方向に直交する面で切った断面図である。図２３（ａ）に示すように、本体部２は、他のキーケース１´における本体部２´に連結するための連結機構１００を有する。連結機構１００は、一方の側端面２４から本体部２の長手方向に向けて突条に延びて形成される連結部１１１と、他方の側端面２４に形成されて連結部１１１と連結可能な被連結部１２１とを有する。被連結部１２０は、突条の連結部１１０に嵌合可能である。
【０１１３】
図２３（ｂ）は、２つの本体部２、２´を連結機構１００により連結した状態を本体部２の長手方向に直交する面で切った断面図である。実際に２つの本体部２、２´を連結機構１００により連結するには、一方のキーケース１における本体部２の連結部１１１と、他方のキーケース１´における本体部２´の被連結部１２１´とを互いに連結する。このとき連結部１１１と、被連結部１２１´が互いに嵌合される。連結部１１１と、被連結部１２１とを嵌合させる際には、本体部２と本体部２´とを互いにスライド移動させることとなる。
【０１１４】
なお、上述した形態において、挿入部３は、回転軸３９を介して本体部２の面外方向に向けて回転移動可能である形態について説明したが、他の形態であってもよい。
【０１１５】
図２４（ａ）は、挿入部３の第１４変形例を本体部２の厚み方向から見た図である。図２４（ａ）に示すように、挿入部３は、本体部２の面内方向に向けて（図中矢印Ｓ方向に向けて）スライド移動可能に本体部２に取り付けられてもよい。このとき、収容係止機構５は、鍵９の鍵山部９１を収容部４に収容した状態で、本体部２の面内方向における挿入部３のスライド移動を係止するものとなる。このときであっても、上述した作用効果を奏するものとなる。
【０１１６】
図２４（ｂ）は、挿入部３の第１５変形例を本体部２の厚み方向から見た図である。図２４（ｂ）に示すように、挿入部３は、回転軸３９を本体部２の面内方向に向けて（図中矢印Ｗ方向に向けて）回転移動可能に本体部２に取り付けられてもよい。このとき、収容係止機構５は、鍵９の鍵山部９１を収容部４に収容した状態で、本体部２の面内方向における挿入部３の回転移動を係止するものとなる。このときであっても、上述した作用効果を奏するものとなる。
【０１１７】
図２５は、挿入部３の第１６変形例を示す図である。挿入部３は、第１部材３７と、第２部材３８とを有する。第１部材３７は、角筒状に形成され、２箇所に開口部３１（３１ａ、３１ｂ）が形成される。第１部材３７の一方の開口部３１ａに、鍵９の頭部９２が挿入される。第２部材３８は、第１部材３７の他方の開口部３１ｂに嵌合される嵌合部３８ａを有する。嵌合部３８ａは、例えば直方体形状に形成されるが、開口部３１ｂに嵌合されるものであれば、如何なる形状であってもよい。嵌合部３８ａと他方の開口部３１ｂとの間には、接着剤等が充填されて、嵌合部３８ａと他方の開口部３１ｂとが固着されていてもよい。第２部材３８は、回転軸３９が挿入され、本体部２に取り付けられる。挿入部３は、筒状の第１部材３７の他方の開口部３１ｂに嵌合される第２部材３８を有する。これにより、挿入部３を製作する際に、筒状のパイプ材等を所定の長さで切断した第１部材３７を用いることができ、箱型の挿入部３を用いるよりも製作効率を向上させることができる。
【０１１８】
また、回転軸３９には、端部にネジ山又はネジ溝からなるネジ部３９ａが形成されてもよい。ネジ部３９ａは、本体部２に形成されるネジ溝又はネジ山からなる螺合部２５に螺合される。これにより、回転軸３９が本体部２に螺合されるため、回転軸３９が本体部２から抜け出すのを防止することが可能となる。
【０１１９】
図２６は、収容部４の第３変形例を示す図であり、図２６（ａ）は、本体部２の厚み方向から見た図であり、図２６（ｂ）は、図２６（ａ）の２６Ａ−２６Ａ断面図である。図２６（ａ）に示すように、収容部４は、鍵９の鍵山部９１が収容される先端側で、鍵９の長手方向に平行するそれぞれの側壁部４２に、テーパー面４２ａが形成される。図２６（ｂ）に示すように、収容部４は、側壁部４２に厚み方向に対して傾斜されるテーパー面４２ａが形成される。側壁部４２は、厚み方向において底板部４１が形成される端部とは反対側の端部に、テーパー面４２ａが形成される。これにより、収容部４は、テーパー面４２ａが形成され、収容部４が表面２１に拡開されるように形成されることとなる。
【０１２０】
本発明を適用したキーケース１によれば、収容部４は、側壁部４２に厚み方向に対して傾斜されるテーパー面４２ａが形成される。これにより、回転軸３９を回転させて収容部４に鍵９を収容するときに鍵９がテーパー面４２ａに接触したとしても、鍵９をテーパー面４２ａに沿うように移動させることができる。このため、鍵９を収容部４にスムーズに収容させることが可能となる。
【０１２１】
図２７は、収容係止機構５の第２変形例を示す図である。図２７に示すように、収容係止機構５は、凸部５１の先端部５１ａが挿入部３の凹部３３に篏合され、凸部５１の基端部５１ｂが弾性板材５２に接触される。凸部５１は、半球状に形成される先端部５１ａと、先端部５１ａの外縁から基端部５１ｂに向けて円柱状に延びる第１部分５１ｃと、第１部分５１ｃから基端部５１ｂに向けて円柱状に延びる第２部分５１ｄとを有する。第２部分５１ｄの外径は、第１部分５１ｃの外径よりも大きい。基端部５１ｂは、孔２４２から側端溝部２４１に向けて突出される。
【０１２２】
本発明を適用したキーケース１によれば、凸部５１は、先端部５１ａから基端部５１ｂに向けて延びる第１部分５１ｃと、第１部分５１ｃから基端部５１ｂに向けて延びる第２部分５１ｄを有し、第２部分５１ｄの外径は、第１部分５１ｃの外径よりも大きい。このため、凸部５１の基端部５１ｂが弾性板材５２に接触されることにより、凸部５１が切欠部２９側に脱落するのを防止することが可能となる。
【０１２３】
図２８（ａ）は、挿入部３の第１７例を示す図であり、図２８（ａ）は、この挿入部の移動を収容係止機構５により係止する前の状態を示す図であり、図２８（ｂ）は、この挿入部の移動を収容係止機構５により係止した状態を示す図である。
【０１２４】
挿入部３は、凹部３３が形成される面に、凹部３３に繋がる誘導溝３３ａが形成される。誘導溝３３ａは、挿入部３が回転移動する軌跡に沿って湾曲して形成される。
【０１２５】
本発明を適用したキーケース１によれば、凹部３３が形成される面に、凹部３３に繋がる誘導溝３３ａが形成され、誘導溝３３ａは、挿入部３の移動する軌跡に沿って形成される。これにより、収容係止機構５により挿入部３の移動の係止とその解除をする際に、誘導溝３３ａに沿って凸部５１を誘導させることができる。このため、収容係止機構５による挿入部３の移動の係止とその解除を円滑に行うことが可能となる。
【０１２６】
以上、この発明の実施形態のいくつかを説明したが、これらの実施形態は例として提示したものであり、発明の範囲を限定することは意図していない。また、これらの実施形態及びその各変形例は、適宜組み合わせて実施することが可能である。さらに、この発明は、上記いくつかの実施形態及びその各変形例の他、様々な新規な形態で実施することができる。したがって、上記いくつかの実施形態及びその各変形例のそれぞれは、この発明の要旨を逸脱しない範囲で、種々の省略、置き換え、変更が可能である。このような新規な形態や変形は、この発明の範囲や要旨に含まれるとともに、特許請求の範囲に記載された発明、及び特許請求の範囲に記載された発明の均等物の範囲に含まれる。
【符号の説明】
【０１２７】
１        ：キーケース
２        ：本体部
２ａ      ：本体部の端部
２ｂ      ：本体部の端部
２１      ：表面
２２      ：裏面
２３      ：側端面
２４      ：側端面
２４１    ：側端溝部
２４２    ：孔
２５      ：螺合部
２９      ：切欠部
３        ：挿入部
３０      ：内面
３１      ：開口部
３２      ：貫通孔
３３      ：凹部
３４      ：固定部材
３４１    ：ボルト
３４２    ：ナット
３５      ：溝部
３６      ：接続部材
３７      ：第１部材
３８      ：第２部材３８ａ    ：嵌合部
３９      ：回転軸
３９ａ    ：ネジ部
２３９    ：軸孔
３０１    ：突起部
３０２    ：ローラー部材
３０３    ：突起部
３０４    ：掛止部
４        ：収容部
４１      ：底板部
４２      ：側壁
４３      ：開口部
５        ：収容係止機構
５１      ：凸部
５２      ：弾性板材
５３      ：ボルト
５４      ：折り曲げ部
５０１    ：凸部
５２１    ：一端部
５２２    ：他端部
６        ：折り返し板材
６ａ      ：折り返し板材の端部
６ｂ      ：折り返し板材の端部
６ｃ      ：内面
６ｄ      ：外面
６１      ：折り返し部
６２      ：挟持板部
６３      ：挟持板部
６４      ：貫通孔
６５      ：第１屈曲部
６６      ：第２屈曲部
６７      ：突出部
６８      ：孔
６１１    ：切欠部
１６１    ：突起部
１６２    ：突起部
１６３    ：突起部
７        ：制御機構
７１      ：被係止部
７２      ：被係止部
７３      ：係止部
７４      ：係止部
７５      ：被係止部
９        ：鍵
９１      ：鍵山部
９２      ：頭部
９３      ：貫通孔
９４      ：溝
９ａ      ：鍵の先端部
１００    ：連結機構
１１１    ：連結部
１１２    ：孔
１２１    ：被連結部
１２２    ：孔
１３０    ：連結部材
θ        ：屈曲角度
【要約】
【課題】携帯の利便性を向上させることが可能となり、汎用性の高いキーケースを提供する。
【解決手段】本発明を適用したキーケース１は、鍵山部９１と頭部９２とを有する鍵９を収容するためのものであって、板状の本体部２と、本体部２に取り付けられ、本体部２の面外方向に回転移動可能であり、鍵９の頭部９２を挿入して固定する挿入部３と、鍵９の鍵山部９１を収容可能な形状で本体部２に形成される収容部４と、鍵９の鍵山部９１を収容部４に収容した状態で挿入部３の回転移動を係止する収容係止機構５とを備えることを特徴とする。
【選択図】図１【図１】
0006797446.tif 000002
【図２】
0006797446.tif 000003
【図３】
0006797446.tif 000004
【図４】
0006797446.tif 000005
【図５】
0006797446.tif 000006
【図６】
0006797446.tif 000007
【図７】
0006797446.tif 000008
【図８】
0006797446.tif 000009
【図９】
0006797446.tif 000010
【図１０】
0006797446.tif 000011
【図１１】
0006797446.tif 000012
【図１２】
0006797446.tif 000013
【図１３】
0006797446.tif 000014
【図１４】
0006797446.tif 000015
【図１５】
0006797446.tif 000016
【図１６】
0006797446.tif 000017
【図１７】
0006797446.tif 000018
【図１８】
0006797446.tif 000019
【図１９】
0006797446.tif 000020
【図２０】
0006797446.tif 000021
【図２１】
0006797446.tif 000022
【図２２】
0006797446.tif 000023
【図２３】
0006797446.tif 000024
【図２４】
0006797446.tif 000025
【図２５】
0006797446.tif 000026
【図２６】
0006797446.tif 000027
【図２７】
0006797446.tif 000028
【図２８】
0006797446.tif 000029